(57)【要約】 【課題】                    顔面の、額などの左や右の方向或いは上や下の方向に突出部を引っ張りながら矯正し、肌の弛みや表情皺等の要因に対応し、意識させる用法で美容やの効果を多く期する機能性パック用シートを提供する。【解決手段】                  パックシートにおいて、額部又は左右双方の目尻の縁部又は左右双方の頬の縁部又は              顎の縁部又は喉の縁部又は首の縁部の周縁又は鼻部又は口部につまみ用突出部を少なくとも一つを設け、前記つまみ用突出部の少なくとも一つおよび前記額部分又は左右双方の目尻の縁部又は左右双方の頬の縁部又は顎の縁部又は喉の縁部又は首の縁部又は鼻部又は口部を対で分割するための少なくとも１本の切り込み線を、前記つまみ用突出部の少なくとも一つおよび前記額部又は左右双方の目尻の縁部又は左右双方の頬の縁部又は顎の縁部又は喉の縁部又は首の縁部又は鼻部又は口部に設ける。【選択図】    図１
2013215268.tif 000002
【特許請求の範囲】
【請求項１】
顔面を覆う、または、顔面から喉部若しくは顔面から首元部までを連続若しくは分割して覆う、または、顔面から首元部までの領域の特定する部位に貼り付けることができる平面体のパック用シートであって、
額部または左右双方の目尻の縁部または左右双方の頬の縁部または顎の縁部または喉の縁部または首の縁部の周縁または鼻部または口部につまみ用突出部を少なくとも一つ設け、
前記つまみ用突出部の少なくとも一つおよび前記額部分または左右双方の目尻の縁部または左右双方の頬の縁部または顎の縁部または喉の縁部または首の縁部または鼻部または口部を対で分割するための少なくとも１本の切り込み線を、
前記つまみ用突出部の少なくとも一つおよび前記額部または左右双方の目尻の縁部または左右双方の頬の縁部または顎の縁部または喉の縁部または首の縁部または鼻部または口部に設けるパック用シート。
【請求項２】
前記切り込み線を用いて分割される部分同士を一部重なり合った状態で係止する係止部を備える請求項１に記載のパック用シート。
【請求項３】
前記係止部は、前記つまみ用突出部に設けられる係止用切り込み線である請求項２に記載のパック用シート。
【請求項４】
鼻筋を縦方向の軸として、前記縦方向に沿って伸びて横方向に並ぶミシン目状の切り込み線を複数列設けることを特徴とする請求項１から３のいずれかに記載のパック用シート。
【請求項５】
鼻筋を縦方向の軸として、前記縦方向と直角な横方向に沿って伸びて上下に並ぶミシン目状の切り込み線を複数列設けることを特徴とする請求項１から３のいずれかに記載のパック用シート。
【請求項６】
前記額部分の周縁につまみ用突出部を三つ設け、残り二つの前記つまみ用突出部に挟まれている前記つまみ用突出部および前記額部分を対で分割するための１本の前記切り込み線を、残り二つの前記つまみ用突出部に挟まれている前記つまみ用突出部および前記額部分に設ける請求項１から５のいずれかの記載のパック用シート。
【請求項７】
請求項１から６のいずれかに記載のパック用シートの用法であって、前記つまみ用突出部をつまみながら、前記パック用シートを前記顔面に前記切り込み線を用いて分割される部分同士を一部重なり合った状態で矯正して貼り付ける用法。
【発明の詳細な説明】
【技術分野】
【０００１】
本発明は、顔面の、額などを皺対策の対象とする皺対策用のシート体であって、前記シート体の、額などの周縁部の輪郭線に設けるつまみ用突出部と、つまみ用突出部を分けて隔てる少なくとも１本の切り込み線の互いを対応させ、分け隔てるシート片を設け、つまみ用突出部で矯正させて貼り付ける仕組み（以下これらを皺対策機能と略称する）を備えるシート体（以下これらをパック用シートと略称する）に関する。
【０００２】
皺対策とする前記額とは、凡そ長方形の前頭筋の領域である、右眉尻から頭頂筋の右部側頭の境目の上部分に至り、続き頭部毛髪の生え際の帽状腱膜（以下これらを額の上部と略称する）の右部に至り、額右部から左端部に至り、続き左端上部から頭頂筋の左側頭の境目の下部を経て左眉尻に至り、続き左眉尻から眉間を経て右眉の眉尻に至り（以下これらを額の下部と略称する）結び囲む領域（以下これらを額の領域と略称する）である。
【０００３】
前記額の領域に加えて、或いは、前記額の領域に代えて、皺対策機能を左右の目尻部から外側への周縁部、左右の頬部から外側への周縁部、顎部の周縁部、喉部の周縁部、首部の周縁部（以下これらを顔の周縁部と略称する）にも任意に設けることができる。
【０００４】
更には、皺対策用のシート体は前記以外の肌の弛みや皺や外界の刺激に対応する部位にも貼り付けることができるパック用シートであってもよい。
【０００５】
前記シート体は、例えば、不織布シートまたはバイオセルロースシートまたはゲル状シートまたは薬事シート体または前記シート体の片面または両面に樹脂フィルムや不織布等を備えて構成するシート等（以下これらをシートと略称する）を用いることができる。
【背景技術】
【０００６】
従来品には、顔面から凡そ首元部までの領域の全体または分割して覆い貼り付けるフェイスマスクがある。
【０００７】
シートには美容液の含浸やシート体には美容効果が得られる原料（以下これらを薬事成分と略称する）を含ませて形成して、これらフェイスマスクの平面体には、輪郭や概ねフィット調整なる切り込み線を設け、両眼や口に対抗する部分には切り欠き孔や鼻部に対向する部分には切り欠き線を設けて、刃型で打ち抜くことによって形成されている。
【０００８】
表情皺が存在する目尻や眼袋、ほうれい線、口元、喉部、首元部等に対応するフェイスマスクは多く存在するものの、しかしながら皺対策機能が必要な、表情皺として代表的な額の領域の皺対策や顔の周縁部や気になる部位に対しての機能を明確にし、薬事成分が含まれるパック用シートの提供が見られない。
【先行技術文献】
【特許文献】
【０００９】
【特許文献１】特許第４６４８４９４号公報
【特許文献２】特許第４５１５６６３号公報
【特許文献３】公開第２０００−１０３７２０号公報
【特許文献４】公開第２００２−１４２８６１号公報
【発明の概要】
【発明が解決しようとする課題】
【００１０】
本発明が解決しようとする課題は、額などの領域の、お肌の衰えや外界刺激或いはお手入れ不足に起因するお肌の弛みや皺に対する用法について、上方向や下方向或いは左方向や右方向になぞり引っ張って矯正し貼り付けて、美容効果を多く期するための皺対策機能を備えるパック用シートを提供することである。
【００１１】
前記額に加えて、或いは、前記額に代えて、シート体の、顔の周縁部にも皺対策機能を任意に備えるパック用シートを提供することである。
【００１２】
更には、顔面から首元部までの領域の気になる部位に対応することができる皺対策機能を備えるパック用シートを提供することである。
【課題を解決するための手段】
【００１３】
課題を解決する本発明のパック用シートは、額などの領域の、顔中央部から顔の周縁部に向かう切り込み線で隔てられたつまみ用突出部の対を顔の周縁部で意識的にクロスをさせて矯正しながら貼り付け方法を訴求するものであり、例えば、額の上部の輪郭線に設けるつまみ用突出部に少なくとも１本の切り込み線の互いを対応させて設け、分け隔てる左シート片は左端側面を引っ張りつまみは右の方向へ、右シート片は右端側面を引っ張りつまみは左の方向に、互いのつまみ用突出部をクロスさせ突出部に切り込まれた係止部に噛み込ませ、意識させて貼り付ける美容方法である。
【００１４】
前記、美容方法をスムーズに行えるための詳細例は以下に述べる。
【００１５】
額の領域の上部輪郭線には、額の領域を引っ張り矯正するための、つまみ用の略長方形または半円又はカーブを描くまたは絵文字の異形の突出部（以下これらをつまみ用突出部と略称する）を設け、額の下部からの少なくとも１本の切り込み線と互いが対向して設けられる。
【００１６】
額の領域の下部分から額の上部方向に向かう、少なくとも１本の直線または波線または曲線またはミシン目状の切り込み線等（以下これらを切り込み線と略称する）は、輪郭線上部に設けるつまみ用突出部に対応させているものであり、切り込み線先端はつまみ用突出部の千切る目印の直前に終端している。
【００１７】
シート体の、折り畳まれた状態から広げ貼り付ける際には、つまみ用突出部が切り込み線でシート片に分割されていると、互いのシート片が絡み合い造作が面倒なので、貼り付ける際につまみ用突出部を千切り分割する方法は一連の作業がスムーズである。
【００１８】
前記スムーズに貼り付けるためのつまみ用突出部を千切り分割する構成は、貼り付ける際に千切る部分を見分ける目印を設け、目印を設けた輪郭線を千切るための内側から伸びる切り込み線先端を直前で終端させ外側からの切り込み線と対向して設けるとつまみ用突出部の輪郭線はスムーズに分割されるものである。
【００１９】
額の領域の、下方向から上方向に向かう切り込み線先端に対応する目印は、貼り付ける際に輪郭線を千切る造作が簡単な形状が良好であり、これらは半円形状又は楔形状又はくぼみ形状等（以下これらを千切る目印と略称する）である。
【００２０】
額の上部に設け下部から切り込み線で分け隔てる互いのつまみ用突出部をクロスさせて貼り付ける係止部の構成は、例えば、つまみ用突出部の両付け根から中ほどに延びる連続線からなる直線または矩形線または波形線または半円線または曲線の切り込み線で切り込むものであり、または下部から上部に向かう切り込み線状に、切り隔てた際につくられる両片に切り込み線やまたは星型または円型または楕円型または絵文字形状の切り込まれる仕組みを設けることである。
【００２１】
左や右の方向へフィットして矯正する皺対策に付加する機能は、鼻筋方向を縦方向の軸としてシートの引っ張る縦の方向を併せ、縦方向に走るミシン目状の切り込み線を複数列に並び設け（以下これらを縦抜きの方法と略称する）、上に向かう切り込み線で分け隔てるそれぞれのシート片を設け、シート片の額の横方向とする片方を押さえ反対方向のもう一方を引っ張る或いは互い双方を相反する方向に引っ張ることで、縦方向に延びて横方向に並び施された切り込み線によってシートは伸び広がり、フィットして矯正しながら貼り付けるので効果はより期することができる。
【００２２】
上や下の方向へフィットして矯正する皺対策に付加する機能は、鼻筋方向を縦方向の軸としてシートの引っ張る縦の方向を直角に併せ、横方向に走るミシン目状の切り込み線を複数列に並び設け（以下これらを直角抜きの方法と略称する）、上に向かう切り込み線で分け隔てるそれぞれのシート片を設け、シート片の額の縦の方向とする額の下部を押さえ額の上部のつまみ用突出部を引っ張ることで、横方向に延びて複数列並び施された切り込み線によってシートは額の上や下方向に伸び広がり、フィットして矯正しながら貼り付けるので効果はより期することができる。
【００２３】
ミシン目状の切り込み線が複数列に並び、互い向き合うミシン目の違えを工夫することで更にシートがより伸び広がって矯正し貼り付けることができる。
【００２４】
顔の周縁部に任意に設ける皺対策機能の仕組みは、額の領域に設ける皺対策機能の仕組みと同様である。
【００２５】
更には、顔面から首元部までの領域の気になる部分に対応することができる皺対策機能の仕組みは、額の領域に設ける皺対策機能の仕組みと同様である。
【００２６】
パックシートの、両眼に対応する両眼を覆うための、目尻からと目頭付近からの切り欠き線で双方が対向して切り残し部を設け、又は必要に応じてつまみ用の突出部を形成し互いの切り欠き線を対向させる蓋状となるフラップを設ける。
【発明の効果】
【００２７】
本発明品の額の皺対策に対しての機能を明確にしたパック用シートを提供することで、お肌の衰えや外界刺激或いはお手入れ不足に起因するお肌の弛みや皺が予防或いは解消され、「おでこ」を前髪で隠したりヘアスタイルで誤魔化したりしたりすることなく、おでこを個々に表現できるものであり、又額の領域への集中美容を行うことで、Ｔゾーンなる上部の右から左への横方向ゾーンの毛穴美容にも繋がり「テカリやニキビ」の予防や対策にも効を奏するものであり、加えて顔の周縁部又は気になる部位に対応する皺対策機能も意識させて貼り付ける用法であるから従来品に比べると美容効果は一段と期するものである。
【図面の簡単な説明】
【００２８】
【図１】本発明品で額の領域を覆い、加えて凡そ全願を覆うための下部を連続して加えて覆うことができる平面体に打ち抜かれた平面図
【図２】図１のパック用シートを打ち抜く状況の平面図
【発明を実施するための形態】
【００２９】
本発明を実施するための形態は、シートの具体例にコットン不織布シートの目付６０（ｇ／ｍｍ２）を用いて示すが、不織布の目付が小さい〜１００（ｇ／ｍｍ２）を使用する際に留意することは、ミシン目状の切り込み線を複数列に設けてシートを引っ張ることで、目付が小さいと抜きの平面体が容易に崩れてクレームに繋がることや目付が大きくてシートが強くて延びず訴求効果にバラツキが生じ期待できない場合は、ミシン目状の切り込み線の本数や切り込み線のピッチ等の変更が必要であることに留意し、又は設けることやシート組成や目付等の選択は必要に応じ任意とするものである。
【００３０】
不織布シートに皺対策機能を打ち抜く方法とその効果には、鼻筋を軸とする縦の方向に不織布繊維の方向を併せて打ち抜く縦抜きの方法で施しミシン目状の切り込み線複数列は横の方向により伸び広がり、不織布繊維の方向を直角の方向に併せて打ち抜く直角抜きの方法で施しことで上や下の方向により伸び広がって、フィットしながら矯正する効果の抜きの方法であり、選択はコンセプトにより任意であるが、具体例には縦抜きの方法で示す。
【００３１】
パック用シートの形態は、例えばシートは１枚の平面体に打ち抜かれるものであり、本発明で符号１の額の領域の平面体、前記符号１に加え連続する符号１９の額の下部から口部を経て下顎部分までを覆うことができる平面体、顔面から連続する下顎先端部を経て喉部又は首元部までを覆い前記領域を翁形状に広く覆うことができる平面体、前記顔面から首元部までの縦の方向を横方向に任意に分割した平面体、その領域は縦方向を額上部から下顎を経て首元部までを凡そ２７０ｍｍ、横方向は左の端部から右の端部までを凡そ２４０ｍｍである。
【００３２】
符号１に連続させるパック用シートの平面体には、概ね、符号２１の両眼に対応する箇所には長軸楕円の欠き孔又は両眼の領域を個々に覆うフラップなるものを設け、鼻部に対応する箇所には符号２２のＵ字型の切り欠き線または左右の鼻翼を結ぶ切り欠き線を下端とし、または左右の鼻翼を結ぶ切り欠き線を下端とし鼻筋の方向には縦方向やハ字状に走るミシン目状の切り込み線を複数列設け、左右両頬部には縦方向に伸びて並ぶミシン目状の切り込み線を複数列設け、口部に対応する箇所には符号２３の長軸が顔面の横方向である切り欠き孔を設け、周囲のほうれい線や小皺に対応する縦方向に伸びて横方向に並びまたは左右双方にほうれい線に似たるハ字状に走るミシン目状の切り込み線を複数列設けるものである。
【００３３】
前記に連続して加える下部のシート部には、下顎部を経て喉部分または首元部分までの領域を覆い、加えて前記領域を略翁形状に広く覆うことができるものあって、更にパック用シートのリフティングやフィットそして矯正する機能の付加には、下顎部には縦方向に延びて横方向の顎部に沿って並ぶ、喉部または首部には縦方向に延びて横方向に並ぶ、或いは喉部または首部には横方向に延びて上下に並ぶ、それぞれ複数列のミシン目状の切り込み線を設けるもので、更には下顎左裏から中央部を経て右喉部又は右首元部の外周縁部直前に終端する略Ｓ字状の切り込み線を設け、互いのシート片は和服を着こむ互いの襟を重ねるが如く貼り付けるものであり、これら切り欠き線、切り欠き孔、複数列からなるミシン目状の切り込み線は必要に応じて施し設けるものである。
【００３４】
上記それぞれ平面体の額の領域の、符号８の額の下部から符号９の額の上部に向かい輪郭線に設ける符号６の千切る目印の直前で終端する少なくとも１本の符号４の切り込み線を設け、符号５の切り残し部を千切りそれぞれのシート片を造作なく貼り付ける構成を設けるものである。
【００３５】
切り込み線で隔てられた符号１０の左片と符号１２の右片の双方のシートを違えて、額の横方向の凸部なるおでこの隆起部を境にして、額の下部と少々後退する額の上部の円周の長さの違いを利用して、左シート片と右のシート片は引っ張りながらフィットさせ、符号４の切り込み線で隔てる部位の互いを矯正し重ね貼り付けるものである。
【００３６】
加えて、額の上部の輪郭線に符号１６のつまみ用突出部を設け、本発明の特徴とする上部の輪郭線に設けるつまみ用突出部の内部に、つまみの互いを意識的にクロスさせて係止することができる切り込み線や形状等で構成される係止部を設けるものであって、図１の、互いの、左の輪郭線を延長させる符号１５と右の輪郭線を延長させる符号１４の切り込みが当該係止部に該当する。符号４の切り込み線で分けられた突出部の符号１１の左片と符号１３右片の双方のシート片は、双方の突出部の互いを横方向や斜め上方向にそれぞれを引っ張り貼り付ける、つまみ用突出部の互いの輪郭線を対向させる符号１５と符号１４の切り込み部位に噛み込ませてクロスさせる貼り付けは、誰もが造作なくできるフィットと矯正の作業標準の目安となり、美容効果を更に期するものである。
【００３７】
シート体に設ける符号４の切り込み線の先端は、輪郭線に設けた符号６の千切る目印の直前に終端させて、千切る目印との符号５の切り残し部は、内側から終端する切り込み線の先端と外側からの符号７の短い切り込み線の先端を対向させて設けるもので、採用するシートの種類によってはシート特性が異なるので、切り残し部分の精度や千切る作業も考慮すればこの抜き加工の手法は必要である。
【００３８】
額に加えて、或いは、額に代えて、例えば、左右双方の目尻の縁部、左右双方の頬の縁部、顎の縁部、喉の縁部、首の縁部、鼻部、口部などまたは顔面から首元部までの領域の特定する部位に設ける皺対策機能は、額の上部に設け備える皺対策機能と同じ機能であり、商品開発のコンセプトに合せて任意に選択するものである。
【００３９】
額の領域に貼り付けるパック用シートの左右の両側面の外周縁部には、左端部を左方向に引っ張る突出部と右端部を右方向に引っ張る突出部を設けるとフィットや矯正する作業はより効果的であり、または互いの突出部を違えて設けると折り畳まれた状態のパック用シートは広げ易く、突出部をつまんで顔面に貼り付ける作業も簡単である。
【００４０】
シート体の具体例には、コットン不織布シートを用いて示すが、例えば、レーヨンやポリエステルフタレートやポリプロピレンやポリエチレンやコットンなどの繊維で構成する不織布シートまたはバイオセルロースシートまたはゲル状シートまたは薬事シート体または前記シート体の片面または両面に樹脂フィルムや不織布等を備えて構成するシートであってもよい。
【実施例】
【００４１】
本発明の分け隔てるシート片やつまみ用突出部を係止部に、意識的にクロスさせ貼り付けることを特徴とする実施例は、図１の額の領域を符号３の縦方向に複数列並ぶミシン目状の切り込み線で覆い、加えて上部輪郭線に符号１６のつまみ用突出部と符号６の千切る目印を設け、下方向から上方向の千切る目印に向かう符号４の切り込み線を設ける平面体、実施例２には図１の縦抜きの方法の仕様から直角抜きの方法の仕様に変えて、横方向に延びるミシン目状の切り込み線を複数列に施す平面体、実施例３には顔面から首元部までの領域の気になる部位に対応することができる皺対策機能の仕組みを備えた平面体、それぞれの貼り付ける美容用法の時間は凡そ１５分程度である。
【実施例１】
【００４２】
折り畳まれたパック用シートを左右の両側面に設ける符号１８や１７のつまみ用の突出部をつまんで拡げ額の領域に貼り付けて、符号６の千切る目印の部位を指で千切ると、符号４の切り込み線で隔てる符号１０の左シート片と符号１１のつまみ用突出部、符号１２の右シート片と符号１３のつまみ用突出部の両片が設けられ、シート片の端縁部や側面に設ける突出部と切り込み線で隔てる中央縁部それにつまみ用突出部をつまんで互いを反対方向へ引っ張り、シートは縦方に伸びて並ぶ複数列のミシン目状の切り込み線を施した領域が横方向に伸びて額の横方向にフィットして矯正して貼り付け、他方のシート片も同様にして貼り付けるもので、左右それぞれの突出部に設ける互い両端の輪郭線を対向させる符号１５と符号１４の切り込みをクロスさせて貼り付ける用法と顔の周縁部に任意に設ける皺対策機能は、前記貼り付け方法と同様であり、前記フィットと矯正の方法は、本発明の効果を誰でもが造作なく体感できる。
【実施例２】
【００４３】
実施例１の、縦抜き方法の仕様から変更する直角抜きの方法は、横方向に伸びるミシン目状の切り込み線を複数列に施して、額の下部を押さえて額の上部の輪郭線や切り込み線で隔て分けられた、それぞれのつまみ用突出部をつまんで上方向に引っ張り、フィットして矯正しながら互いのつまみ用突出部をクロスさせて貼り付ける用法と顔の周縁部に任意に設ける皺対策機能は、前記貼り付け方法と同様であり、前記フィットと矯正の方法は、本発明の効果を誰でもが造作なく体感できる。
【実施例３】
【００４４】
更には、顔面から首元部までの領域の気になる部位に対応することができる皺対策機能を備えるパック用シートの実施例は、実施例１や実施例２と同じ用法であり、フィットと矯正の方法は、本発明の効果を誰でもが造作なく体感できる。
【符号の説明】
【００４５】
１      本発明品の額の領域を覆うパック用シートの平面図
２      本発明品の額の領域を覆うパック用シートの輪郭線
３      縦抜きの方法の縦方向に伸びて横方向に複数列に並ぶミシン目状の切り込み線
４      額の下方向から上方向の額のつまみ用突出部に向かう切り込み線
５      切り込み線先端と千切る目印との切り残し部
６      切り込み線先端に対向する輪郭線を千切るための目印
７      切り込み線先端に対向する外側からの切り込み線
８      額の下部
９      額の上部
１０    切り込み線を境にする左のシート片部
１１    符号１０の上部に設けるつまみ用突出部
１２    切り込み線を境にする右のシート片
１３    符号１２の上部に設けるつまみ用突出部
１４    符号１３で、つまみ用突出部の両端から互いの輪郭線を対向させ、貼り付け時に交差させ
る目印となる右シート片のつまみ用突出部への切り込み
１５    符号１１で、つまみ用突出部の両端から互いの輪郭線を対向させ、貼り付け時に交差させ
る目印となる左シート片のつまみ用突出部の切り込み
１６    額の領域の上部輪郭線に設けるつまみ用突出部
１７    額の領域を覆うパック用シートの左の側面に設けるつまみ用突出部
１８    額の領域を覆うパック用シートの右の側面に設けるつまみ用突出部
１９    額の領域のパックシートに連続して加えて顔面を覆うパック用シートの平面図
２０    符号１９の輪郭線
２１    両眼に対応する切り欠き孔
２２    鼻部に対応するＵ字状の切り欠き線
２３    口部に対応する横方向の切り欠き孔
２４    周囲のシートの弛みを調整するための切り込み線
２５    シートのロール
２６    シートの引っ張る縦の方向
２７    シートの横の方向
【図１】
2013215268.tif 000003
【図２】
2013215268.tif 000004
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
顔面を覆う、または、顔面から喉部若しくは顔面から首元部までを連続若しくは分割して覆う、または、顔面から首元部までの領域の特定する部位に貼り付けることができる平面体のパック用シートであって、
額部または左右双方の目尻の縁部または左右双方の頬の縁部または顎の縁部または喉の縁部または首の縁部の周縁または鼻部または口部につまみ用突出部を少なくとも一つ設け、
前記つまみ用突出部の少なくとも一つおよび前記額部分または左右双方の目尻の縁部または左右双方の頬の縁部または顎の縁部または喉の縁部または首の縁部または鼻部または口部を対で分割するための少なくとも１本の切り込み線を、
前記つまみ用突出部の少なくとも一つおよび前記額部または左右双方の目尻の縁部または左右双方の頬の縁部または顎の縁部または喉の縁部または首の縁部または鼻部または口部に設けるパック用シート。
【請求項２】
前記切り込み線を用いて分割される部分同士を一部重なり合った状態で係止する係止部を備える請求項１に記載のパック用シート。
【請求項３】
鼻筋を縦方向の軸として、前記縦方向に沿って伸びて横方向に並ぶミシン目状の切り込み線を複数列設けることを特徴とする請求項１または２に記載のパック用シート。
【請求項４】
鼻筋を縦方向の軸として、前記縦方向と直角な横方向に沿って伸びて上下に並ぶミシン目状の切り込み線を複数列設けることを特徴とする請求項１または２に記載のパック用シート。
【請求項５】
前記額部分の周縁につまみ用突出部を三つ設け、残り二つの前記つまみ用突出部に挟まれている前記つまみ用突出部および前記額部分を対で分割するための１本の前記切り込み線を、残り二つの前記つまみ用突出部に挟まれている前記つまみ用突出部および前記額部分に設ける請求項１から４のいずれかの記載のパック用シート。
【請求項６】
請求項１から５のいずれかに記載のパック用シートの用法であって、前記つまみ用突出部をつまみながら、前記パック用シートを前記顔面に前記切り込み線を用いて分割される部分同士を一部重なり合った状態で矯正して貼り付ける用法。